(57)【要約】【課題】ノードを多段接続した構成のＷＤＭ光伝送システムにおいて、初段ノードからの光レベルの揺らぎが累積するのを抑制すること。【解決手段】波長ごとに、ネットワークに最初に光が入力されたノードに対する自ノードの位置を認識するノード位置認識部４９を設ける。分波部４１でそれぞれの波長に分離された光の出力レベルをＶＡＴ制御部４２で制御する際の制御時間を、ノード位置認識部４９で波長ごとに認識された自ノードの位置に応じて制御する。光監視制御部４４は、波長ごとに、直前のノードから直前のノードの位置を特定する値を受け取り、その値に１を加えて自ノードの位置を特定する値とする。ある波長の光に対して自ノードが最初のノードに該当する場合、光監視制御部４４は、その波長に対する自ノードの位置を特定する値を１とする。光監視制御部４４は、ノードの位置を特定する値をＯＳＣ間通信情報として次のノードへ送信する。【選択図】        図１
2007067691.tif 000002
【特許請求の範囲】
【請求項１】
光伝送路を介して直列に接続された複数のノードからなるネットワークの各ノードで、複数の波長の光が多重された入力光からそれぞれの波長の光を分離し、その分離された波長ごとに出力レベルを検出し、その検出レベルに基づいて各波長の出力レベルを制御し、その出力レベルが制御された複数の波長の光を再び多重して次のノードへ出力する波長多重方法において、
波長ごとに、ネットワークに最初に光が入力されたノードに対する自ノードの位置を認識し、その認識した自ノードの位置に応じて、出力レベルを検出してから実際に出力レベルが制御されるまでの制御時間を制御することを特徴とする波長多重方法。
【請求項２】
光伝送路を介して直列に接続された複数のノードからなるネットワークの各ノードで、複数の波長の光が多重された入力光からそれぞれの波長の光を分離し、その分離された波長ごとに出力レベルを検出し、その検出レベルに基づいて各波長の出力レベルを制御し、その出力レベルが制御された複数の波長の光を再び多重して次のノードへ出力する波長多重装置において、
波長ごとに、ネットワークに最初に光が入力されたノードに対する自ノードの位置を認識するノード位置認識部と、
波長ごとに、前記ノード位置認識部で認識された自ノードの位置に応じて、出力レベルを検出してから実際に出力レベルが制御されるまでの制御時間を制御する制御部と、
を備えることを特徴とする波長多重装置。
【請求項３】
前記制御部は、前記制御時間を、直前のノードにおける制御時間の１／４またはおよそ１／４の時間に設定することを特徴とする請求項２に記載の波長多重装置。
【請求項４】
さらに、波長ごとに、直前のノードから直前のノードの位置を特定する値を受け取り、その直前のノードの位置を特定する値に１を加えて自ノードの位置を特定する値とし、その自ノードの位置を特定する値を次のノードに供給する光監視制御部を備えていることを特徴とする請求項２または３に記載の波長多重装置。
【請求項５】
前記光監視制御部は、ネットワークに最初に光が入力された初段ノードに該当する場合に、その光の波長に対する自ノードの位置を特定する値に１をセットして次のノードに供給することを特徴とする請求項４に記載の波長多重装置。
【発明の詳細な説明】
【技術分野】
【０００１】
この発明は、波長多重方法およびその装置に関し、特に、ＷＤＭ光伝送システムで用いられる波長多重方法およびその装置に関する。
【背景技術】
【０００２】
ＷＤＭ（Ｗａｖｅｌｅｎｇｔｈ  Ｄｉｖｉｓｉｏｎ  Ｍｕｌｔｉｐｌｅｘｅｒ：波長分割多重）光伝送システムにおいては、多重化される各波長のパワーおよび光ＳＮＲ（信号対雑音比）が伝送特性に大きな影響を与えるため、各波長のパワーが均等になるように制御をする必要がある。この方法として、各波長の入力を可変光減衰器（ＶＡＴ）に入力し、そのパワーを減衰させることにより調節する方法が採られている。
【０００３】
図６は、従来の波長多重装置を多段接続したＷＤＭ光伝送システムの構成を示す図である。図６に示すように、ノード１の波長多重装置１ａでは、入力側のＷＤＭ伝送路２ａからの入力光を分波部（ＤＭＵＸ）１１で各波長の光に分波し、波長ごとにＶＡＴ制御部１２の可変光減衰器で光レベルを一定にし、再び各波長の光を合波部（ＭＵＸ）１３で合波して出力側のＷＤＭ伝送路２ｂへ出力する。
【０００４】
また、波長多重装置１ａの光監視制御部（ＯＳＣ）１４は、直前のノードの波長多重装置（図には現れていない）から波長の情報を受信し、次のノードの波長多重装置１ｂへ波長の情報を送信する。ノード２、ノード３およびノード４の各波長多重装置１ｂ，１ｃ，１ｄにおいても同様である。なお、図６において、符号２ｃ、２ｄおよび２ｅはＷＤＭ伝送路である。
【０００５】
通常、ＶＡＴ制御部１２では、波長ごとに、可変光減衰器から出力された光のレベルを検出し、その検出レベルを可変光減衰器にフィードバック制御することにより、可変光減衰器の出力レベルを一定に制御している。このフィードバック制御では、可変光減衰器の光出力レベルを検出してから実際にその出力レベルが制御されるまで、ある制御時間を要す。
【０００６】
従来のＷＤＭ光伝送システムでは、多段接続されたすべての波長多重装置においてＶＡＴ制御部１２の制御時間が同じである。そのため、図７に示すように、後段のノードへいくほど、初段ノードからの微細な光レベルの揺らぎが累積されていき、揺らぎの振幅が増加する。図７において、符号３１、３２、３３、３４および３５は、それぞれ、ノード１への入力光、ノード１からの出力光（ノード２への入力光）、ノード２からの出力光（ノード３への入力光）、ノード３からの出力光（ノード４への入力光）およびノード４からの出力光の波形である。
【０００７】
このような光レベルの揺らぎの累積は、以下のようにして起こる。各ノードのＶＡＴ制御部１２には、様々な要因で種々の周波数の光の波が入力される。図８に示すように、ノード１に制御時間の２倍の周期の波の入力光３１が入力された場合、ＶＡＴ制御部１２は、時刻Ａでの揺らぎを抑えるために、時刻Ａにおいて符号３６で示す矢印の向きに、この矢印３６の長さ分だけ振幅を抑える制御を行おうとする。
【０００８】
しかし、ＶＡＴ制御部１２のフィードバック制御には上述した制御時間という遅延があるため、実際には、時刻Ａよりも制御時間分だけ遅れた時刻Ａ’において、矢印３６と同じ向きで同じ長さの矢印３７で示す制御が作用する。そのため、ノード１の出力光３２は、ノード１の入力光３１を矢印３７の分だけ変化させた波となる。つまり、入力光３１に対して出力光３２の振幅が増加することになる。
【０００９】
そして、図９に示すように、ノード２では、ノード１の出力光３２が入力光３２となる。ノード２でも、ノード１でのＶＡＴ制御部１２による制御と同様に、時刻Ｂにおいて矢印３８で示す制御は、実際には、制御時間だけ遅れた時刻Ｂ’において矢印３８と同じ向きで同じ長さの矢印３９で示す制御となって作用する。そのため、ノード２の出力光３３は、ノード２の入力光３２を矢印３９の分だけ変化させた波となり、入力光３２に対して出力光３３の振幅が増加することになる。ノード３以降についても同様である。このようにして、光レベルの揺らぎが累積されていく。
【００１０】
また、ＷＤＭ光伝送システムに関して、次の従来技術が公知である。複数波長の入力光を波長多重して出力するとともに、多重出力光を光モニタ部でモニタして各波長のレベルを分析し、各波長の分析レベルに応じて波長多重される各波長の入力光を複数の可変光減衰器で波長毎に調整して同レベルとする波長多重方法において、前記複数の可変光減衰器それぞれの出力レベルを検出し、前記可変光減衰器の出力レベルと前記分析レベルとに応じて前記複数の可変光減衰器の減衰量を制御するものがある（例えば、特許文献１参照。）。
【００１１】
【特許文献１】特開２００４−１４０６３１号公報
【発明の開示】
【発明が解決しようとする課題】
【００１２】
上述したように、従来の技術では、ノードを多段接続した構成において、光レベルの揺らぎの累積を抑制する配慮がなされていない。そのため、今後ますますノードの接続数が増えていくと考えられるが、その場合に初段ノードからの微細な光レベルの揺らぎの累積が大きくなり、主信号がエラーとなってしまうおそれがある。
【００１３】
この発明は、上述した従来技術による問題点を解消するため、ノードを多段接続した構成のＷＤＭ光伝送システムにおいて、初段ノードからの光レベルの揺らぎが累積するのを抑制することができる波長多重方法およびその装置を提供することを目的とする。
【課題を解決するための手段】
【００１４】
上述した課題を解決し、目的を達成するため、本発明は、波長多重装置に、波長ごとに、ネットワークに最初に光が入力されたノードに対する自ノードの位置を認識するノード位置認識部を設ける。そして、分波部でそれぞれの波長に分離された光の出力レベルをＶＡＴ制御部で制御する際に、その制御時間を、ノード位置認識部で波長ごとに認識された自ノードの位置に応じて制御する。例えば、ＶＡＴ制御部での制御時間を、直前のノードにおける制御時間よりも短い時間に設定する。ＶＡＴ制御部での制御時間は、好ましくは、直前のノードにおける制御時間の１／４またはおよそ１／４の時間であるとよい。
【００１５】
ノード位置認識部は、前後のノードと通信を行う光監視制御部から自ノードの位置を特定する値を受け取り、その値に基づいて自ノードの位置を認識する。光監視制御部は、波長ごとに、直前のノードから直前のノードの位置を特定する値を受け取り、その直前のノードの位置を特定する値に１を加えて自ノードの位置を特定する値とする。ネットワークにある波長の光が最初に入力された初段ノードに該当する場合、光監視制御部は、その波長に対する自ノードの位置を特定する値を１とする。そして、光監視制御部は、自ノードの位置を特定する値を次のノードへ送信する。
【００１６】
また、波長多重装置に、ノードの位置と制御時間との関係を格納する記憶部を設け、予めこの記憶部に、ノードの位置と制御時間との関係を示すテーブルを格納しておく。そして、この記憶部から、ノード位置認識部で認識された自ノードの位置に対応する制御時間を取得し、ＶＡＴ制御部での制御時間とする。本発明を適用して好適なネットワークは、リングネットワークまたはオープン型のリングネットワークである。
【００１７】
この発明によれば、各ノードにおいて波長ごとに自ノードの位置を認識することによって、ＶＡＴ制御部で波長ごとに光の出力レベルを制御する際の制御時間を、直前のノードにおける制御時間よりも短い時間に設定することができる。従って、ノードを多段接続した構成のＷＤＭ光伝送システムにおいて、初段ノードからの光レベルの揺らぎが累積するのを抑制することができる。
【発明の効果】
【００１８】
本発明にかかる波長多重方法およびその装置によれば、波長ごとに光の出力レベルを制御する際の制御時間を、直前のノードにおける制御時間よりも短い時間に設定することによって、後段のノードにおいて初段ノードからの光レベルの揺らぎが累積するのを抑制することができる。従って、ノードを多段接続した構成のＷＤＭ光伝送システムにおいて、ノードの多段接続数を飛躍的に増やすことができるという効果を奏する。
【発明を実施するための最良の形態】
【００１９】
以下に添付図面を参照して、この発明にかかる波長多重方法およびその装置の好適な実施の形態を詳細に説明する。
【００２０】
図１は、本発明にかかる波長多重装置を多段接続したＷＤＭ光伝送システムの一例を示す図である。図１に示すように、ノード１の波長多重装置４ａでは、入力側のＷＤＭ伝送路５ａからの入力光を分波部（ＤＭＵＸ）４１で各波長の光に分波する。そして、波長ごとにＶＡＴ制御部４２の可変光減衰器４６で光レベルを一定に制御した後、再び各波長の光を合波部（ＭＵＸ）４３で合波して出力側のＷＤＭ伝送路５ｂへ出力する。
【００２１】
ＶＡＴ制御部４２では、可変光減衰器４６から出力された光の一部を分岐させ、その分岐させた光のレベルをフォトダイオード等の光検出器（ＰＤ）４７で検出する。そして、ＶＡＴ制御部４２の制御部４８は、光検出器４７による検出レベルに基づいて、可変光減衰器４６の光減衰量に対してフィードバック制御を行う。また、波長多重装置４ａの光監視制御部（ＯＳＣ）４４は、直前のノードの波長多重装置（図には現れていない）からＷＤＭ伝送路５ａを介して波長の情報とノードの位置を特定するための情報を受信する。ＶＡＴ制御部４２のノード位置認識部４９は、光監視制御部４４から自ノードの位置を特定する情報を受け取る。
【００２２】
ＶＡＴ制御部４２の制御部４８は、ノード位置認識部４９により認識された自ノードの位置に応じて、可変光減衰器４６の光減衰量に対するフィードバック制御に要する制御時間、すなわち光検出器４７で可変光減衰器４６の出力レベルを検出してから実際にその検出レベルに応じた制御が作用するまでの時間を制御する。ノードの位置と制御時間との関係は、予めＥＥＰＲＯＭ（電気的に一括消去・再書き込み可能な読み出し専用メモリ）等の不揮発性メモリで構成される記憶部４５に格納されている。また、光監視制御部４４は、ＷＤＭ伝送路５ｂを介して次のノードの波長多重装置４ｂへ波長の情報とノードの位置を特定するための情報を送信する。
【００２３】
ノード２、ノード３およびノード４の各波長多重装置４ｂ，４ｃ，４ｄにおいても同様である。各ノードにおいて、ＶＡＴ制御部４２は波長ごとに設けられているが、図が繁雑になるを避けるため、図１では、各ノードにＶＡＴ制御部４２を一つずつ示した。なお、図１において、符号５ｃ、５ｄおよび５ｅはＷＤＭ伝送路である。また、図１では、複数のノードが多段接続された構成のうちの４段分が示されているが、ノードの接続数に制限はなく、５段以上でもよいし、２段または３段でもよい。これらの多段接続された複数のノードは、リングネットワークまたはオープン型のリングネットワークを構築している。
【００２４】
図２は、本発明にかかる波長多重装置の要部の一例を示す図である。図２に示すように、ＶＡＴ制御部４２は、可変光減衰器４６、光検出器４７、制御部４８およびノード位置認識部４９を備えており、さらにノード位置認識部４９はノード位置情報受信部５０と制御時間受信部５１を備えている。ノード位置情報受信部５０は、光監視制御部４４から自ノードの位置を特定するための情報を受け取り、記憶部４５に対して、自ノードの位置を特定するための情報に対応する制御時間を選択するための信号を送る。
【００２５】
記憶部４５には、制御時間テーブル格納部５６が設けられている。この制御時間テーブル格納部５６には、例えば表１に示すように、ノード位置パラメータに対応する制御時間を規定する制御時間テーブルが格納されている。一例として、表１に示すテーブルでは、ノード位置が後段へいくほど、すなわちノード位置を特定する値（１，２，３，４）が大きくなるほど、制御時間Ｔａ，Ｔｂ，Ｔｃ，Ｔｄが短くなっている。
【００２６】
【表１】
2007067691.tif 000003
【００２７】
制御時間テーブル格納部５６は、制御時間テーブルから、ノード位置情報受信部５０により選択された制御時間を選択し、その選択した制御時間を制御時間受信部５１へ送る。制御時間受信部５１は、可変光減衰器４６による光レベルの制御に要する時間を、制御時間テーブル格納部５６から受け取った制御時間に設定する。そして、制御部４８は、制御時間受信部５１により設定された制御時間を用いて可変光減衰器４６を制御する。
【００２８】
光監視制御部４４は、光／電気変換部６０、ＯＳＣ間通信用データ展開部６１、ノード位置加算部６２、ノード位置＝１セット部６３、選択部６４、ノード位置情報送信部６５、ＯＳＣ間通信用データ収集部６６、波長毎の光信号監視／制御部６７、波長毎のＡｄｄ情報受信部６８および電気／光変換部６９を備えている。光／電気変換部６０は、直前のノードの光監視制御部４４から送られてきたＯＳＣ間通信情報の光信号を受信し、その光信号を電気信号に変換する。電気信号に変換されたＯＳＣ間通信情報は、ＯＳＣ間通信用データ展開部６１へ送られる。
【００２９】
ＯＳＣ間通信用データ展開部６１は、光／電気変換部６０から受け取ったＯＳＣ間通信情報の中からノード位置を特定するための値を抽出する。このノード位置を特定するための値は、ＯＳＣ間のシリアル通信のデータフレーム内に波長ごとに格納されている。抽出された波長ごとのノード位置を特定するための値は、ノード位置加算部６２へ送られる。また、光／電気変換部６０から受け取ったＯＳＣ間通信情報のうち、波長ごとのノード位置を特定するための値を除いた残りの情報は、ＯＳＣ間通信用データ展開部６１から波長毎の光信号監視／制御部６７へ送られる。
【００３０】
ノード位置加算部６２は、波長ごとに、ＯＳＣ間通信用データ展開部６１から受け取ったノード位置を特定するための値に１を加算して、自ノードの位置を特定するための値とする。この自ノードの位置を特定するための値は、選択部６４へ送られる。一方、ノード位置＝１セット部６３は、自ノードの位置を特定するための値を１に設定して選択部６４へ送る。
【００３１】
ここで、波長毎のＡｄｄ情報受信部６８は、オペレータ７から、ある波長の光について自ノードが初段のノードであるという情報を受け取ると、その波長の光に対するＡｄｄ情報の値を例えば１にセットする。自ノードが初段のノードでない場合には、Ａｄｄ情報の値は例えば０にセットされる。初段のノードとは、ネットワークに最初に光が入力されたノードのことである。
【００３２】
選択部６４は、波長ごとに、自ノードの位置を特定するための値として、波長毎のＡｄｄ情報受信部６８から送られてくるＡｄｄ情報の値が０のときには、ノード位置加算部６２から受け取った値（前ノード位置の値＋１）を選択し、Ａｄｄ情報の値が１のときには、ノード位置＝１セット部６３から受け取った値（１）を選択する。選択部６４により選択された自ノードの位置を特定するための値は、ノード位置情報送信部６５へ送られる。
【００３３】
ノード位置情報送信部６５は、選択部６４から受け取った自ノードの位置を特定するための値を、ＯＳＣ間通信用データ収集部６６とＶＡＴ制御部４２のノード位置情報受信部５０へ送る。ノード位置情報受信部５０へ送られた自ノードの位置を特定するための値に基づいて、可変光減衰器４６の制御時間が制御されることについては上述した通りである。ＯＳＣ間通信用データ収集部６６は、波長毎の光信号監視／制御部６７から受け取った情報に、ノード位置情報送信部６５から受け取ったノードの位置を特定するための値を付加して電気／光変換部６９へ送る。電気／光変換部６９は、ＯＳＣ間通信用データ収集部６６から受け取った電気データを光信号に変換して、次のノードの光監視制御部４４へ送る。
【００３４】
次に、本発明にかかる波長多重方法について説明する。図３は、波長多重方法のシーケンスの一例を示す図である。図３に示すように、ノード１にクライアントの光（波長：λＸ）が入力されると、ノード１の光監視制御部４４において、ＯＳＣ間通信情報のデータフレーム内のλＸに対するノード位置パラメータに１がセットされる（ステップＳ１）。そして、λＸに対するノード位置パラメータを含むＯＳＣ間通信情報は、ノード２へ送られる（ステップＳ２）。
【００３５】
また、ノード１において、λＸに対するノード位置パラメータは、ノード１のノード位置認識部４９にも送られる（ステップＳ３）。ノード１のノード位置認識部４９は、ノード位置パラメータの値が１であるので、これに対応する制御時間として、制御時間テーブル格納部５６の制御時間テーブルから例えば６４ｍｓを選択する（ステップＳ４）。そして、ノード１の制御部４８は、λＸに対する可変光減衰器４６の制御時間を６４ｍｓとして光減衰量の制御を開始する（ステップＳ５）。
【００３６】
ノード２では、ＯＳＣ間通信情報のデータフレーム内のλＸに対するノード位置パラメータを１だけ増加させて２とする（ステップＳ６）。このλＸに対するノード位置パラメータを含むＯＳＣ間通信情報は、ノード３へ送られる（ステップＳ７）。また、ノード２において、λＸに対するノード位置パラメータは、ノード２のノード位置認識部４９にも送られる（ステップＳ８）。
【００３７】
ノード２のノード位置認識部４９は、ノード位置パラメータの値が２であるので、これに対応する制御時間として、制御時間テーブル格納部５６の制御時間テーブルから例えば１６ｍｓを選択する（ステップＳ９）。そして、ノード２の制御部４８は、λＸに対する可変光減衰器４６の制御時間を１６ｍｓとして光減衰量の制御を開始する（ステップＳ１０）。
【００３８】
以下、ノード３（ステップＳ１１〜Ｓ１５）およびノード４（ステップＳ１６〜Ｓ２０）においても同様である。ただし、ノード３においては、ＯＳＣ間通信情報のデータフレーム内のλＸに対するノード位置パラメータは３であり（ステップＳ１１）、この値に対応する可変光減衰器４６の制御時間は４ｍｓである（ステップＳ１４、Ｓ１５）。また、ノード４においては、ＯＳＣ間通信情報のデータフレーム内のλＸに対するノード位置パラメータは４であり（ステップＳ１６）、この値に対応する可変光減衰器４６の制御時間は１ｍｓである（ステップＳ１９、Ｓ２０）。
【００３９】
上述したように、本実施の形態では、各ノードにおける可変光減衰器４６の制御時間は、直前のノードにおける可変光減衰器４６の制御時間の１／４になっている。そのため、図４に示すように、後段のノードにおいて初段ノードからの微細な光レベルの揺らぎが累積されるのを抑制することができる。図４において、符号８１、８２、８３、８４および８５は、それぞれ、ノード１への入力光、ノード１からの出力光（ノード２への入力光）、ノード２からの出力光（ノード３への入力光）、ノード３からの出力光（ノード４への入力光）およびノード４からの出力光の波形である。
【００４０】
図４に示すように光レベルの揺らぎの累積を抑制することができる理由を、簡単のため、図８および図９に示す従来と対比させて説明する。ノード１における入力光８１と出力光８２の関係は、図８に示す従来のノード１における入力光３１と出力光３２の関係と同じである。しかし、ノード２では、図５に示すように、ノード２への入力光８２に対して、ＶＡＴ制御部４２は、時刻Ｃでの揺らぎを抑えるために、時刻Ｃにおいて符号８８で示す矢印の向きに、この矢印８８の長さ分だけ振幅を抑える制御を行おうとする。
【００４１】
それに対して、実際には、ノード１における制御時間の１／４の時間だけ遅れた時刻Ｃ’において、矢印８８と同じ向きで同じ長さの矢印８９で示す制御が作用する。従って、ノード２からの出力光８３は、ノード２への入力光８２を矢印８９の分だけ変化させた波となり、振幅が減少する。ノード３以降についても同様である。このようにして、ノードの多段が増えても、揺らぎの振幅が増加するのを抑制することができる。
【００４２】
以上において本発明は、上述した実施の形態に限らず、種々変更可能である。例えば、各ノードにおける可変光減衰器４６の制御時間は、直前のノードにおける可変光減衰器４６の制御時間の１／４に限らない。ただし、後段のノードへいくほど可変光減衰器４６の制御時間を短くする方が、揺らぎの振幅を抑制する効果が高いので、好ましい。また、本発明は、リングネットワークまたはオープン型のリングネットワーク以外の形態のネットワークにも適用できる。
【００４３】
（付記１）光伝送路を介して直列に接続された複数のノードからなるネットワークの各ノードで、複数の波長の光が多重された入力光からそれぞれの波長の光を分離し、その分離された波長ごとに出力レベルを検出し、その検出レベルに基づいて各波長の出力レベルを制御し、その出力レベルが制御された複数の波長の光を再び多重して次のノードへ出力する波長多重方法において、
波長ごとに、ネットワークに最初に光が入力されたノードに対する自ノードの位置を認識し、その認識した自ノードの位置に応じて、出力レベルを検出してから実際に出力レベルが制御されるまでの制御時間を制御することを特徴とする波長多重方法。
【００４４】
（付記２）前記制御時間は、直前のノードにおける制御時間よりも短い時間であることを特徴とする付記１に記載の波長多重方法。
【００４５】
（付記３）前記制御時間は、直前のノードにおける制御時間の１／４またはおよそ１／４の時間であることを特徴とする付記１に記載の波長多重方法。
【００４６】
（付記４）前記各ノードは、波長ごとに、直前のノードから直前のノードの位置を特定する値を受け取り、その直前のノードの位置を特定する値に１を加えて自ノードの位置を特定する値とし、その自ノードの位置を特定する値を次のノードに供給することを特徴とする付記１〜３のいずれか一つに記載の波長多重方法。
【００４７】
（付記５）前記各ノードは、ネットワークに最初に光が入力された初段ノードに該当する場合に、その光の波長に対する自ノードの位置を特定する値に１をセットして次のノードに供給することを特徴とする付記４に記載の波長多重方法。
【００４８】
（付記６）前記ネットワークは、リングネットワークまたはオープン型のリングネットワークであることを特徴とする付記１〜５のいずれか一つに記載の波長多重方法。
【００４９】
（付記７）光伝送路を介して直列に接続された複数のノードからなるネットワークの各ノードで、複数の波長の光が多重された入力光からそれぞれの波長の光を分離し、その分離された波長ごとに出力レベルを検出し、その検出レベルに基づいて各波長の出力レベルを制御し、その出力レベルが制御された複数の波長の光を再び多重して次のノードへ出力する波長多重装置において、
波長ごとに、ネットワークに最初に光が入力されたノードに対する自ノードの位置を認識するノード位置認識部と、
波長ごとに、前記ノード位置認識部で認識された自ノードの位置に応じて、出力レベルを検出してから実際に出力レベルが制御されるまでの制御時間を制御する制御部と、
を備えることを特徴とする波長多重装置。
【００５０】
（付記８）前記制御部は、前記制御時間を、直前のノードにおける制御時間よりも短い時間に設定することを特徴とする付記７に記載の波長多重装置。
【００５１】
（付記９）前記制御部は、前記制御時間を、直前のノードにおける制御時間の１／４またはおよそ１／４の時間に設定することを特徴とする付記７に記載の波長多重装置。
【００５２】
（付記１０）さらに、波長ごとに、直前のノードから直前のノードの位置を特定する値を受け取り、その直前のノードの位置を特定する値に１を加えて自ノードの位置を特定する値とし、その自ノードの位置を特定する値を次のノードに供給する光監視制御部を備えていることを特徴とする付記７〜９のいずれか一つに記載の波長多重装置。
【００５３】
（付記１１）前記光監視制御部は、ネットワークに最初に光が入力された初段ノードに該当する場合に、その光の波長に対する自ノードの位置を特定する値に１をセットして次のノードに供給することを特徴とする付記１０に記載の波長多重装置。
【００５４】
（付記１２）さらに、記憶部を備えており、該記憶部にノードの位置と制御時間との関係が格納されていることを特徴とする付記７〜１１のいずれか一つに記載の波長多重装置。
【００５５】
（付記１３）前記ネットワークは、リングネットワークまたはオープン型のリングネットワークであることを特徴とする付記７〜１２のいずれか一つに記載の波長多重装置。
【産業上の利用可能性】
【００５６】
以上のように、本発明にかかる波長多重方法およびその装置は、ＷＤＭ光伝送システムに有用であり、特に、多数のノードが多段接続された構成を有するリングネットワークまたはオープン型のリングネットワークで構成された幹線系等のＷＤＭ光伝送システムに適している。
【図面の簡単な説明】
【００５７】
【図１】本発明にかかる波長多重装置を説明する図である。
【図２】本発明にかかる波長多重装置の要部を説明する図である。
【図３】本発明にかかる波長多重方法のシーケンスを説明する図である。
【図４】光レベルの揺らぎが抑制されている様子を示す図である。
【図５】光レベルの揺らぎが抑制される原理を説明する図である。
【図６】従来の波長多重装置を説明する図である。
【図７】光レベルの揺らぎが累積されていく様子を示す図である。
【図８】光レベルの揺らぎが累積される原理を説明する図である。
【図９】光レベルの揺らぎが累積される原理を説明する図である。
【符号の説明】
【００５８】
４ａ，４ｂ，４ｃ，４ｄ  波長多重装置
５ａ，５ｂ，５ｃ，５ｄ，５ｅ  ＷＤＭ光伝送路
４４  光監視制御部
４５  記憶部
４８  制御部
４９  ノード位置認識部
【図１】
2007067691.tif 000004
【図２】
2007067691.tif 000005
【図３】
2007067691.tif 000006
【図４】
2007067691.tif 000007
【図５】
2007067691.tif 000008
【図６】
2007067691.tif 000009
【図７】
2007067691.tif 000010
【図８】
2007067691.tif 000011
【図９】
2007067691.tif 000012